(57)【要約】【課題】専門的な技術を持たない使用者であっても、頭髪のボリューム調整が可能なヘアボリューム調整クリップ及びヘアボリューム調整方法を提供する。【解決手段】複数の櫛刃部１０ｂが形成される櫛状の本体部１０と、複数の櫛刃収納部２０ｂが形成される櫛状の本体収納部２０とを有し、櫛刃部１０ｂと櫛刃収納部２０ｂとの間に、頭髪を通すための隙間が形成されるクリップ開放状態と、櫛刃部１０ｂが、櫛刃収納部２０ｂに収納されるクリップ閉塞状態と、を選択可能で、クリップ閉塞状態において、櫛刃収納部２０ｂに収納される、櫛刃部１０ｂの前方側の断面形状が略円弧形状であって、クリップ開放状態において隙間に通した頭髪を、クリップ閉塞状態において、櫛刃部１０ｂと櫛刃収納部２０ｂとの間に挟み込むヘアボリューム調整クリップによって達成される。【選択図】図１
2020081361.tif 000002
【特許請求の範囲】
【請求項１】
棒状の胴体部と、該胴体部に略直交するように立設される複数の櫛刃部と、から形成される櫛状の本体部と、
前記胴体部を、前記胴体部の長手方向に前進・後退可能に収納する胴体案内部と、該胴体案内部に略直交するように立設され、前記櫛刃部の前方側を前記櫛刃部の立設方向の略全長に亘って収納可能で、後方側が開放された断面形状を有する複数の櫛刃収納部と  から形成される櫛状の本体収納部と、
を有し、
前記本体部の前記胴体部を前記本体収納部の前記胴体案内部に収納した状態において、
前記本体部の前記胴体部を、前記本体収納部の前記胴体案内部に対して後退させて、前記本体部の前記櫛刃部と、前記本体収納部の前記櫛刃収納部との間に、頭髪を通すための隙間が形成されるクリップ開放状態と、
前記本体部の前記胴体部を、前記本体収納部の前記胴体案内部に対して前進させて、前記本体部の前記櫛刃部の前方側の、前記櫛刃部の立設方向の略全長が、前記本体収納部の前記櫛刃収納部に収納されるクリップ閉塞状態と、
を選択可能で、
前記クリップ閉塞状態において、少なくとも、前記本体収納部の前記櫛刃収納部に収納される、前記本体部の前記櫛刃部の前方側の断面形状が略円弧形状であって、
前記クリップ開放状態において前記隙間に通した頭髪を、前記クリップ閉塞状態において、前記櫛刃部と前記櫛刃収納部との間に挟み込む
ことを特徴とするヘアボリューム調整クリップ。
【請求項２】
前記クリップ開放状態が、前記本体部の前記胴体部と、前記本体収納部の前記胴体案内部との間に配置された弾性体により維持され、
前記クリップ閉塞状態が、前記胴体案内部に対する前記胴体部の後退を抑制する後退抑制機構により維持される
ことを特徴とする、請求項１記載のヘアボリューム調整クリップ。
【請求項３】
前記クリップ閉塞状態が、前記本体部の前記胴体部と、前記本体収納部の前記胴体案内部との間に配置された弾性体の弾性力により維持される
ことを特徴とする、請求項１記載のヘアボリューム調整クリップ。
【請求項４】
前記ヘアボリューム調整クリップを、前記本体部の前記胴体部の長手方向に複数個連結した状態で保持可能な連結部材により連結可能な、
請求項１乃至請求項３のいずれか１項に記載のヘアボリューム調整クリップ。
【請求項５】
請求項１乃至請求項４のいずれか１項に記載のヘアボリューム調整クリップにより、頭髪のボリュームを調整するヘアボリューム調整方法であって、
前記ヘアボリューム調整クリップにおいて、前記本体部の前記櫛刃部の前方側の略円弧形状の半径を変更することにより、前記ヘアボリューム調整クリップを使用した部位の頭髪の曲げ半径を、所望するヘアボリュームに準じた曲げ半径とすることを特徴とするヘアボリューム調整方法。
【請求項６】
請求項４に記載のヘアボリューム調整クリップにより、頭髪のボリュームを調整するヘアボリューム調整方法であって、
前記連結部材により、前記前記本体部の前記胴体部の長手方向に複数個連結することにより、前記ヘアボリューム調整クリップを連結した部位の頭髪の範囲を、所望するヘアボリュームの調整範囲とする
ことを特徴とするヘアボリューム調整方法。
【発明の詳細な説明】
【技術分野】
【０００１】
本発明は、ヘアボリューム調整クリップ及びヘアボリューム調整方法に関する。
【背景技術】
【０００２】
人それぞれ、頭髪には少なからずストレスを抱えている。例えば、頭髪にボリュームがない、また、反対に、頭髪が膨らむといった悩みが後を絶たない。その悩みを美容室において、薬剤を用いたパーマや、ドライヤーによるスタイリング技術によって改善するのが一般的である。しかし、外出前は時間的に慌ただしい人も多く、手間を掛けたくない上、パーマに於いては繰り返し行うことによって頭髪が傷んだり、経済的に困難な場合もある。
【０００３】
また、頭髪のボリュームが人のスタイルや印象を決定付けているといっても過言ではない。若々しく見られたい指向も年々高まってきている。トレンド的には頭髪のサイドはボリュームを抑え、トップにはボリュームを求める傾向にある。近年では頭髪のサイドを刈り上げる男性も多くなった。
【０００４】
尚、頭髪のボリューム、頭皮から毛が生える角度が大きく関係している。頭皮に対して沿うように生えればボリュームは抑えられ、頭皮に対して立ち上がるように生えればボリュームは豊かになる。また、人の頭髪はつむじを中心とした流れになっているため、正面を向いた時の右と左では流れも異なり、どちらか片方だけが不本意なボリュームになることが多い。
【０００５】
可能ならば自分で手軽に頭髪のボリュームの調整が出来ることが望ましいが、美容師のアドバイスを元に行っても容易ではない。このような頭髪のボリューム調整を熱も薬剤も用いずに、頭髪の根元に調整具を挟む単一な作業によって実現する調整具や調整方法が提案されている。
【先行技術文献】
【特許文献】
【０００６】
【特許文献１】特開２００７−３１３２７２号公報
【発明の概要】
【発明が解決しようとする課題】
【０００７】
特許文献１のロッドカーラーとロッドクリップのセットは、パーマをかける際に、ロッドカーラーに巻き付けた頭髪をロッドカーラーに輪ゴムで止めることなく、セットになったロッドクリップで挟むことによって、ロッドカーラーに頭髪を巻き付ける作業を容易にすることが可能であると開示されている。
【０００８】
特許文献１のロッドカーラーとロッドクリップのセットによるパーマは、同ロッドカーラーに巻き付けた頭髪を、同ロッドカーラーの半径に準じた円弧形状の巻き癖を付けることにより、そのボリュームを豊かにすることはできても、ボリュームを抑えることは困難である。
【０００９】
特許文献１に関わらず、これまでの頭髪のボリュームを調整する方法は、上記同様、ロッドカーラーによって、頭髪に円弧形状の巻き癖、所謂ウェーブを与えてボリュームを増やす方法や、かつらなどのウィッグ及びヘアピース等を装着させて同装着個所のボリュームを増やす方法や、ボリュームを調整した状態の頭髪を化粧品や医薬部外品により維持させる方法がほとんどであった。
【００１０】
しかしながら、人によって頭髪のボリュームを増やしたい部分もあれば抑えたい部分もあり様々である。これまでの頭髪のボリュームの調整具は、頭髪のボリュームを増やしたい場合に使用するものがほとんどであり、また、ある程度の頭髪の長さがなければ着使用できないものもある。そのため、使用者が自宅で、頭髪の長さに捉われることなく容易に頭髪のボリュームを調整できる、特に、頭髪のボリュームを抑制する調整が可能な手段が望まれていた。
【００１１】
本発明は、上記したような問題点に鑑みてなされたもので、専門的な技術を持たない使用者であっても、頭髪のボリューム調整が可能なヘアボリューム調整クリップ及びヘアボリューム調整方法を提供することを目的とする。
【課題を解決するための手段】
【００１２】
本発明の上記目的は、棒状の胴体部と、該胴体部に略直交するように立設される複数の櫛刃部と、から形成される櫛状の本体部と、
前記胴体部を、前記胴体部の長手方向に前進・後退可能に収納する胴体案内部と、該胴体案内部に略直交するように立設され、前記櫛刃部の前方側を前記櫛刃部の立設方向の略全長に亘って収納可能で、後方側が開放された断面形状を有する複数の櫛刃収納部と
から形成される櫛状の本体収納部と、
を有し、
前記本体部の前記胴体部を前記本体収納部の前記胴体案内部に収納した状態において、
前記本体部の前記胴体部を、前記本体収納部の前記胴体案内部に対して後退させて、前記本体部の前記櫛刃部と、前記本体収納部の前記櫛刃収納部との間に、頭髪を通すための隙間が形成されるクリップ開放状態と、
前記本体部の前記胴体部を、前記本体収納部の前記胴体案内部に対して前進させて、前記本体部の前記櫛刃部の前方側の、前記櫛刃部の立設方向の略全長が、前記本体収納部の前記櫛刃収納部に収納されるクリップ閉塞状態と、
を選択可能で、
前記クリップ閉塞状態において、少なくとも、前記本体収納部の前記櫛刃収納部に収納される、前記本体部の前記櫛刃部の前方側の断面形状が略円弧形状であって、
前記クリップ開放状態において前記隙間に通した頭髪を、前記クリップ閉塞状態において、前記櫛刃部と前記櫛刃収納部との間に挟み込む
ことを特徴とするヘアボリューム調整クリップによって達成される。
【００１３】
また、本発明に係るヘアボリューム調整クリップにおいては、前記クリップ開放状態が、前記本体部の前記胴体部と、前記本体収納部の前記胴体案内部との間に配置された弾性体により維持され、
前記クリップ閉塞状態が、前記胴体案内部に対する前記胴体部の後退を抑制する後退抑制機構により維持されても良い。
【００１４】
さらに、本発明に係るヘアボリューム調整クリップにおいては、前記クリップ閉塞状態が、前記本体部の前記胴体部と、前記本体収納部の前記胴体案内部との間に配置された弾性体の弾性力により維持されても良い。
【００１５】
一方、本発明に係るヘアボリューム調整クリップは、前記本体部の前記胴体部の長手方向に複数個連結した状態で保持可能な連結部材により連結可能であっても良い。
【００１６】
ここで、本発明の目的は、前記ヘアボリューム調整クリップにおいて、前記本体部の前記櫛刃部の前方側の略円弧形状の半径を変更することにより、前記ヘアボリューム調整クリップを使用した部位の頭髪の曲げ半径を、所望するヘアボリュームに準じた曲げ半径とする
ことを特徴とするヘアボリューム調整方法によっても達成される。
【００１７】
また、本発明のヘアボリューム調整方法は、前記連結部材により、前記前記本体部の前記胴体部の長手方向に複数個連結することにより、前記ヘアボリューム調整クリップを連結した部位の頭髪の範囲を、所望するヘアボリュームの調整範囲としても良い。
【発明の効果】
【００１８】
本発明に係るヘアボリューム調整クリップは、棒状の胴体部と、該胴体部に略直交するように立設される複数の櫛刃部と、から形成される櫛状の本体部と、
前記胴体部を、前記胴体部の長手方向に前進・後退可能に収納する胴体案内部と、該胴体案内部に略直交するように立設され、前記櫛刃部の前方側を前記櫛刃部の立設方向の略全長に亘って収納可能で、後方側が開放された断面形状を有する複数の櫛刃収納部と  から形成される櫛状の本体収納部と、
を有し、
前記本体部の前記胴体部を前記本体収納部の前記胴体案内部に収納した状態において、
前記本体部の前記胴体部を、前記本体収納部の前記胴体案内部に対して後退させて、前記本体部の前記櫛刃部と、前記本体収納部の前記櫛刃収納部との間に、頭髪を通すための隙間が形成されるクリップ開放状態と、
前記本体部の前記胴体部を、前記本体収納部の前記胴体案内部に対して前進させて、前記本体部の前記櫛刃部の前方側の、前記櫛刃部の立設方向の略全長が、前記本体収納部の前記櫛刃収納部に収納されるクリップ閉塞状態と、
を選択可能で、
前記クリップ閉塞状態において、少なくとも、前記本体収納部の前記櫛刃収納部に収納される、前記本体部の前記櫛刃部の前方側の断面形状が略円弧形状であって、
前記クリップ開放状態において前記隙間に通した頭髪を、前記クリップ閉塞状態において、前記櫛刃部と前記櫛刃収納部との間に挟み込むように構成されているため、専門的な技術を持たない使用者であっても、頭髪のボリューム調整を行うことができる。
【００１９】
また、本発明のヘアボリューム調整クリップを使用する、本発明に係るヘアボリューム調整方法は、前記ヘアボリューム調整クリップにおいて、前記本体部の前記櫛刃部の前方側の略円弧形状の半径を変更することにより、前記ヘアボリューム調整クリップを使用した部位の頭髪の曲げ半径を、所望するヘアボリュームに準じた曲げ半径とするため、専門的な技術を持たない使用者であっても、頭髪のボリューム調整を行うことができる。
【図面の簡単な説明】
【００２０】
【図１】第１実施形態に係るヘアボリューム調整クリップのクリップ開放状態及びクリップ閉塞状態を示す概略斜視図である。
【図２】図１のクリップ開放状態の説明図である。
【図３】図１のクリップ閉塞状態の説明図である。
【図４】第１実施形態に係るヘアボリューム調整クリップを使用するヘアボリューム調整方法を説明するイメージ図である。
【図５】第２実施形態に係るヘアボリューム調整クリップのクリップ閉塞状態の説明図である。
【図６】第２実施形態に係るヘアボリューム調整クリップのクリップ開閉状態の説明図である。
【図７】第１実施形態に係るヘアボリューム調整クリップを連結部材により２個連結するイメージ図である。
【図８】第２実施形態に係るヘアボリューム調整クリップを連結部材により２個連結するイメージ図である。
【発明を実施するための形態】
【００２１】
以下、本発明を実施するための形態について、添付図面を参照しながら詳細に説明する。
【００２２】
［第１実施形態］
図１乃至図４を参照しながら本発明の第１実施形態に係る射出装置を説明する。第１実施形態は、ヘアボリューム調整クリップのクリップ開放状態が、本体部の胴体部と、本体収納部の胴体案内部との間に配置された弾性体（圧縮バネ）により維持され、ヘアボリューム調整クリップのクリップ閉塞状態が、胴体部及び胴体案内部の前進・後退を抑制する抑制機構により維持される形態である。
【００２３】
図１は、第１実施形態に係るヘアボリューム調整クリップのクリップ開放状態及びクリップ閉塞状態を示す概略斜視図である。図１（ａ）がクリップ開放状態、図１（ｂ）がクリップ閉塞状態を示す。図２は、図１のクリップ開放状態の説明図である。図２（ａ）がヘアボリューム調整クリップの概略平面図、図２（ｂ）が図２（ａ）のＡ矢視図、図２（ｃ）が図２（ａ）のＢ矢視図、図２（ｄ）が図２（ａ）の要部Ｘの内部透視図である。図３は、図１のクリップ閉塞状態の説明図である。図３（ａ）がヘアボリューム調整クリップの概略平面図、図３（ｂ）が図３（ａ）のＡ矢視図、図３（ｃ）が図３（ａ）の要部Ｘの内部透視図、図３（ｄ）が、後述する後退抑制機構の別形態を示す図である。図４は、第１実施形態に係るヘアボリューム調整クリップを使用するヘアボリューム調整方法を説明するイメージ図である。図４（ａ）が、ヘアボリューム調整クリップでヘアボリューム調整を行う部位が頭髪サイド部分であることを示すイメージ図、図４（ｂ）が、ヘアボリューム調整クリップのクリップ開放状態において形成される、本体部の櫛刃部と、本体収納部の櫛刃収納部との間の隙間に頭髪を通した状態を示すイメージ図である。図４（ｃ）が、図４（ｂ）のクリップ開放状態からクリップ閉塞状態に移行させて、隙間に通した頭髪を、櫛刃部と櫛刃収納部との間に挟み込んだ状態を示すイメージ図である。図４（ｄ）が、図４（ｃ）の状態で頭髪を乾燥させて、頭髪が頭皮に沿うように頭髪からの毛流角度が変更された状態を示すイメージ図である。
【００２４】
図１乃至図３に示すように、ヘアボリューム調整クリップ１は、櫛状の本体部１０が、同じく櫛状の本体収納部２０に収納されるように構成される。櫛状の本体部１０は、棒状の胴体部１０ａと、胴体部１０ａに略直交するように立設される複数の櫛刃部１０ｂとから形成されている。また、櫛状の本体収納部２０は、本体部１０の胴体部１０ａを、胴体部１０ａの長手方向に前進・後退可能に収納可能な胴体案内部２０ａと、胴体案内部２０ａに略直交するように立設され、櫛刃部１０ｂの前方側を櫛刃部１０ｂの立設方向の略全長に亘って収納可能で、後方側が開放された断面形状を有する複数の櫛刃収納部２０ｂとから形成されている。
【００２５】
そして、本体収納部２０の胴体案内部２０ａの後端には、本体収納部２０の胴体案内部２０ａに対する、本体部１０の胴体部１０ａの後退を抑制する後退抑制機構１０ｃが配置されている。後退抑制機構１０ｃは第１実施形態においては、胴体案内部２０ａの後端に配置された略コの字形状の構成であって、コの字形状の対向する２面が胴体案内部２０ａに対して回転可能に支持されており、図１（ａ）、図２（ａ）他に示すクリップ開放状態においては、胴体案内部２０ａに対する胴体部１０ａの前進・後退を阻害しない位置に回転移動させ、図１（ｂ）、図３（ａ）他に示すクリップ閉塞状態においては、胴体案内部２０ａに対する胴体部１０ａの後退を抑制する位置に回転移動させるように構成されている。
【００２６】
また、後退抑制機構１０ｃは、後述する、ヘアボリューム調整クリップ１の連結形態を鑑み、図３（ｄ）に示すように、クリップ閉塞状態において、その後端が、本体部１０の胴体部１０ａから突出しないように構成されても良い。このような、第１実施形態における後退抑制機構１０ｃの配置や構成は一例であって、クリップ閉塞状態において、胴体案内部２０ａに対する胴体部１０ａの後退を抑制することができる構成が適宜採用されれば良い。
【００２７】
また、図２（ｃ）に示すように、本体部１０の胴体部１０ａの、本体収納部２０の胴体案内部２０ａに収納される対向面には、胴体部１０ａの長手方向に連続する案内用の凹部が形成されており、該凹部と組み合わされる凸部が、本体部１０の胴体部１０ａを収納する、本体収納部２０の胴体案内部２０ａの対向面に形成されており、これら凹凸部によるインロー構造により、本体部１０の胴体部１０ａを、胴体部１０ａの長手方向に前進・後退可能に、本体収納部２０の胴体案内部２０ａに収納するよう構成されている。このインロー構造は凹凸が第１実施形態とは逆の部材に構成されても良いし、本体部１０の胴体部１０ａを、胴体部１０ａの長手方向に前進・後退可能に、本体収納部２０の胴体案内部２０ａに収納する構成が適宜採用されれば良い。
【００２８】
ヘアボリューム調整クリップ１のこれら構成部材の素材は、樹脂やアルミニウム等軽量のもので、ヘアボリューム調整クリップ１のクリップ閉塞状態を維持可能な強度があれば良い。また、ヘアスタイリング用の化粧品や医薬部外品に対する耐薬品性を素材自体が備えているか、少なくとも表面に、耐薬品性または毛髪の滑り止めを備えたコーティング施工が成されることが好ましい。
【００２９】
第１実施形態においては、図１（ａ）、図２（ａ）他に示すクリップ開放状態が、本体部１０の胴体部１０ａと、本体収納部２０の胴体案内部２０ａとの間に配置された弾性体により維持される。具体的には、図２（ｄ）（図２（ａ）の要部Ｘの内部透視図）に示すように、本体部１０の胴体部１０ａの前端面に形成された弾性体支持部１０ｄと、該弾性体支持部１０ｄの対向する、本体収納部２０の胴体案内部２０ａの対向面に形成された弾性体支持部２０ｄとの間に、弾性体である圧縮バネ３０が自然長状態で配置されている。この圧縮バネ３０の自然長がＤである。
【００３０】
圧縮バネ３０の両端は、それぞれ、弾性体支持部１０ｄ及び弾性体支持部２０ｄに固定されており、本体収納部２０の胴体案内部２０ａに対する、本体部１０の胴体部１０ａの後退限が規定される。また、図２（ａ）、（ｂ）に示すように、自然長状態の圧縮バネ３０がスペーサとして機能し、クリップ開放状態における、本体部１０の櫛刃部１０ｂと、本体収納部２０の櫛刃収納部２０ｄとの間に、頭髪を通すための隙間Ｃが形成され維持される。また、クリップ開放状態において、頭部の該当部位の頭髪を隙間Ｃに通すため、本体部１０の櫛刃部１０ｂ及び本体収納部２０の櫛刃収納部２０ｂの先端は、クリップ開放状態において、図１（ａ）及び図２（ａ）他に示すように、実際の櫛のように、斜めに連続するように構成されることが好ましい。さらに、頭部の形状を鑑み、ヘアボリューム調整クリップ１は、図１や図２（ｂ）、図３（ｂ）に示すように、長手方向に弯曲する形状が採用され、より頭皮に接近させて、頭皮近傍で頭髪を挟み込めるようにすることが好ましい。
【００３１】
また、第１実施形態においては、図１（ｂ）、図３（ａ）他に示すクリップ閉塞状態が、本体収納部２０の胴体案内部２０ａの後端に配置された後退抑制機構１０ｃにより維持される。具体的には、図１（ａ）、図２（ａ）他に示すクリップ開放状態から、ヘアボリューム調整クリップ１の本体部１０を、圧縮バネ３０の弾性力に抗して本体収納部２０に押し込む。このとき、図２（ｄ）において自然長Ｄの圧縮バネ３０が、図３（ｃ）に示すように長さＤ’（Ｄ’＜Ｄ）まで圧縮され、本体部１０が本体収納部２０に対して弾性力により後退しようとする。そのため、図１（ｂ）、図３（ａ）他に示すように、後退抑制機構１０ｃを、胴体案内部２０ａに対する胴体部１０ａの後退を抑制する位置に回転移動させ、胴体案内部２０ａ（本体収納部２０）に対する胴体部１０ａ（本体部１０）の後退を抑制してクリップ閉塞状態に移行させ、この状態を維持させる。
【００３２】
クリップ閉塞状態においては、クリップ開放状態における隙間Ｃ（図２（ａ）、図２（ｂ）が平面図（図３（ａ）上では完全に無くなり、図３（ｂ）に示すように、本体部１０の櫛刃部１０ｂの前方側の略円弧形状の断面と、これを収納する本体収納部２０の櫛刃収納部２０ｄの内面間に沿った隙間として隙間Ｃ’が形成される。
【００３３】
この、本体部１０の櫛刃部１０ｂの前方側の略円弧形状の断面と、これを収納する本体収納部２０の櫛刃収納部２０ｄの内面間に沿った隙間としての隙間Ｃ’における、櫛刃部１０ｂの前方側の略円弧形状の半径と、隙間Ｃ’の大きさがヘアボリュームを決定する。具体的には、まず、櫛刃部１０ｂの前方側の略円弧形状の半径が、クリップ閉塞状態において隙間Ｃ’間に挟み込まれた頭髪の部位の曲げ半径となる。この部位の頭髪の曲げ半径が小さい程、その部位の頭髪のボリュームは抑制される。一方、この部位の頭髪の曲げ半径が大きい程、その部位の頭髪のボリュームは抑制されない。次に、隙間Ｃ’の大きさが頭髪のボリュームの抑制力を決定する。隙間Ｃ’の大きさが小さい程、頭髪のボリュームの抑制力が大きく、大きい程、頭髪のボリュームの抑制力が弱くなる。
【００３４】
引き続き、図４を参照しながら、第１実施形態に係るヘアボリューム調整クリップ１を使用するヘアボリューム調整方法を説明する。図４（ａ）に示すように、ヘアボリューム調整クリップ１でヘアボリューム調整を行う部位が頭髪サイド部分である。
【００３５】
まず、クリップ開放状態のヘアボリューム調整クリップ１を頭髪サイド部分に持っていき、図４（ｂ）に示すように、本体部１０の櫛刃部１０ｂと、本体収納部２０の櫛刃収納部２０ｄとの間の隙間Ｃに頭髪を通す。図２（ａ）他に示すように、ヘアボリューム調整クリップ１の平面図上で隙間Ｃが形成されているので、隙間Ｃに頭髪を容易に通すことができる。また、図２（ａ）他に示すように、本体部１０の櫛刃部１０ｂ及び本体収納部２０の櫛刃収納部２０ｂの先端が、クリップ開放状態において、実際の櫛のように、斜めに連続するように構成されれば、隙間Ｃに頭髪を通すことはさらに容易である。
【００３６】
その後、ヘアボリューム調整クリップ１の本体部１０を、圧縮バネ３０の弾性力に抗して本体収納部２０に押し込み、後退抑制機構１０ｃにより、胴体案内部２０ａ（本体収納部２０）に対する胴体部１０ａ（本体葡１０）の後退を抑制して、図４（ｃ）に示すように、本体部１０の櫛刃部１０ｂと、本体収納部２０の櫛刃収納部２０ｄとの間の隙間が隙間Ｃ’となるクリップ閉塞状態に移行させる。
【００３７】
クリップ閉塞状態においては、先に説明したように、隙間Ｃ’における、櫛刃部１０ｂの前方側の略円弧形状の半径と、隙間Ｃ’の大きさがヘアボリュームを決定する。この状態において、頭髪を自然乾燥させるか、ヘアドライヤー等で乾燥させる。一般家庭においては、市販されているヘアスタイリング用のヘアクリームやヘアスプレーを頭髪に塗布させた状態で乾燥させても良い。また、理容室や美容室においても、同様のヘアスタイリン剤を使用して乾燥させる、あるいは、そのまま、パーマ液を塗布してパーマを行っても良い。
【００３８】
そして、図４（ｃ）の状態で頭髪を乾燥させると、図４（ｄ）に示すように、頭髪が頭皮に沿う（矢印Ｅ）ように頭皮からの立ち上げ角度（立ち上げ方向）が変更された状態で頭髪の流れが形成され、頭髪サイド部分であっても、刈り上げることなく、頭髪のボリュームを抑えるように調整することができる。
【００３９】
図示はしていないが、隙間Ｃ’を少し大きくすれば、頭髪のボリュームの抑制力を弱めて、図４（ｄ）よりももう少し頭皮からの立ち上げ角度（立ち上げ方向）を頭皮から離れる角度（方向）にさせて頭髪のボリュームを増やすことができる。さらにボリュームを増やしたい場合は、櫛刃部１０ｂの前方側の略円弧形状の半径を大きくして、頭髪の曲げ半径を大きくすれば良い。
【００４０】
このように、クリップ閉塞状態の隙間Ｃ’における、櫛刃部１０ｂの前方側の略円弧形状の半径と、隙間Ｃ’の大きさによりヘアボリュームの調整が可能になるため、櫛刃部１０ｂの前方側の略円弧形状の半径と、隙間Ｃ’の大きさが異なるヘアボリューム調整クリップを複数種類用意して使い分けることにより、頭髪の所望する部位を、所望するボリュームに調整することができる。また、このようなヘアボリューム調整クリップ１は、使用するのに特殊な技術等は必要無く、専門的な技術を持たない使用者であっても、所望する部位の頭髪のボリューム調整を容易に行うことができる。
【００４１】
［第２実施形態］
図５乃至図６を参照しながら本発明の第２実施形態に係る射出装置を説明する。第２実施形態は、ヘアボリューム調整クリップのクリップ閉塞状態が、本体部の胴体部と、本体収納部の胴体案内部との間に配置された弾性体（圧縮バネ）の弾性力により維持される形態である。第１実施形態との差異は、クリップ閉塞状態を維持する構成のみであって、それ以外の基本的構成は同じである。そのため、第１実施形態と同じ構成については説明を割愛し、図５乃至図６においても、第１実施形態と同じ構成（図１乃至図４）については同じ符号を付すものとする。
【００４２】
図５は、第２実施形態に係るヘアボリューム調整クリップのクリップ閉塞状態の説明図である。図５（ａ）がヘアボリューム調整クリップの概略平面図、図５（ｂ）が図５（ａ）の要部Ｙの内部透視図、図５（ｃ）が図５（ｂ）のＦ矢視図、図５（ｄ）が図５（ａ）のＧ矢視図である。図６は、第２実施形態に係るヘアボリューム調整クリップのクリップ開放状態の説明図である。図６（ａ）がヘアボリューム調整クリップの概略平面図、図６（ｂ）が図６（ａ）の要部Ｙの内部透視図である。
【００４３】
先に説明したように、第２実施形態は、ヘアボリューム調整クリップのクリップ閉塞状態が、本体部の胴体部と、本体収納部の胴体案内部との間に配置された弾性体（圧縮バネ）の弾性力により維持される形態である。そのため、図５を参照しながら、クリップ閉塞状態を先に説明する。
【００４４】
図５（ａ）他に示すように、ヘアボリューム調整クリップ２について、櫛状の本体部１０が、同じく櫛状の本体収納部２０に収納されるように構成される点や、本体部１０及び本体収納部２０の基本構成、また、図５（ｄ）に示すような、本体部１０の胴体部１０ａを、胴体部１０ａの長手方向に前進・後退可能に、本体収納部２０の胴体案内部２０ａに収納する凹凸部によるインロー構造、さらには、ヘアボリューム調整クリップ２を使用する頭髪のボリューム調整方法については、第１実施形態のヘアボリューム調整クリップ１と同じであるため、個々の説明は割愛する。
【００４５】
一方、本体部１０の胴体部１０ａの前方には、ヘアボリューム調整クリップ２をクリップ閉塞状態からクリップ開放状態に移行させるための押込ロッド１０ｅが形成され、図５（ｂ）他に示すように、対向する本体収納部２０の胴体案内部２０ａの対向面の開口孔から、ヘアボリューム調整クリップ２の前方へ突出している。また、本体部１０の胴体部１０ａの、櫛刃部１０ｂが立設方向と逆の面に、弾性体支持部１０ｄ’が立設されている。弾性体支持部１０ｄ’は、本体収納部２０の胴体案内部２０ａを、弾性体支持部１０ｄ’の立設方向に貫通孔を介して貫通している。また、本体収納部２０の胴体案内部２０ａの対向面が、弾性体支持部１０ｄ’の立設方向に延伸されており、同延伸部の弾性体支持部１０ｄ’の対向面にも、弾性体支持部２０ｄ’が形成されている。
【００４６】
第１実施形態及び第２実施形態の相違点でもあるが、第２実施形態においては、図５（ａ）他に示すクリップ閉塞状態が、本体部１０の胴体部１０ａと、本体収納部２０の胴体案内部２０ａとの間に配置された弾性体の弾性力により維持される。具体的には、図５（ｂ）（図５（ａ）の要部Ｙの内部透視図）に示すように、先に説明した弾性体支持部１０ｄ’及び弾性体支持部２０ｄ’間に、弾性体である引張バネ４０が、自然長より伸ばされ、所定の弾性力が生じた状態で配置されている。この引張バネ４０の引張長さがｄ’である。この状態において、本体収納部２０（胴体案内部２０ａ）に対して、本体部１０（胴体部１０ａ）の引張方向に弾性力による引張力を受けるが、図５（ｂ）に示すように、本体部１０の胴体部１０ａから立設する弾性体支持部１０ｄ’が、本体収納部２０の胴体案内部２０ａの、弾性体支持部１０ｄ’用の貫通孔の端面に接触することで、引張バネ４０の引張長さｄ’が規定される。
【００４７】
また、第２実施形態においては、引張バネ４０により常時クリップ閉塞状態が維持されるため、ヘアボリューム調整クリップ２によりヘアボリュームを調節するためには、本体収納部２０の櫛刃収納部２０ｄとの間に、頭髪を通すための隙間Ｃを形成する必要がある。第２実施形態においては、常時クリップ閉塞状態のヘアボリューム調整クリップ２を、本体収納部２０から突出している押込ロッド１０ｅを指等で押し込むことにより、図６（ｂ）に示すように、引張バネ４０をさらに伸ばしてその間だけクリップ開放状態に移行させる。このときの引張バネ４０の引張長さはｄ”である。
【００４８】
第２実施形態のヘアボリューム調整クリップ２は、第１実施形態のヘアボリューム調整クリップ１に対して、隙間Ｃに頭髪を通した後に押込ロッド１０ｅの押し込みを止めれば、そのままクリップ閉塞状態に移行させることができるので、頭髪のボリューム調整が容易である。
【００４９】
一方、弾性体として、第２実施形態のように引張バネ４０を採用する場合、あるいは、代わりにゴム等を採用する場合、所望する部位において、ヘアボリューム調整クリップ２の隙間Ｃに頭髪を通す際や、クリップ閉塞状態にした際に、引張バネの場合は頭髪を挟み込んだり、ゴムの場合は摩擦係数が多いので頭髪を巻き込んだりする虞がある。そのため、図５に示すように、引張バネ４０等の弾性体の配置個所には、本体収納部２０の該当部分をカバーする構成が好ましい。
【００５０】
以上、発明を実施するための形態について、第１実施形態及び第２実施形態を説明したが、本発明は、上記の実施の形態に限定されることなく、特許請求の範囲に記載された内容を逸脱しない範囲で、色々な形で実施できることは言うまでもない。
【００５１】
本発明に係るヘアボリューム調整クリップを、連結部材により複数個連結させて使用しても良い。図７は、第１実施形態に係るヘアボリューム調整クリップ１を連結部材により２個連結するイメージ図である。
【００５２】
図７に示す２つのヘアボリューム調整クリップ１は、図では分かり難いが、クリップ開放状態であって、後退抑制機構１０ｃは、胴体案内部２０ａに対する胴体部１０ａの前進・後退を阻害しない位置に回転移動されている。所望するヘアボリュームの調整範囲において、先に説明したように、これら２つのヘアボリューム調整クリップ１それぞれによって頭髪を挟み込んだ後、後退抑制機構１０ｃによりクリップ閉塞状態にさせる。そして、クリップ閉塞状態の２つのヘアボリューム調整クリップ１を、連結部材５０により長手方向に連結させる。
【００５３】
連結部材５０は、長手方向に連結させたヘアボリューム調整クリップ１と略同じ弯曲する形状を有し、両端にヘアボリューム調整クリップ１を挟み込む凸部や爪部を備える。連結部材５０の素材は、樹脂やアルミニウム等軽量のもので、ヘアボリューム調整クリップ１の連結状態を維持可能な強度があれば良い。また、ヘアスタイリング用の化粧品や医薬部外品に対する耐薬品性を素材自体が備えているか、耐薬品性を備えたコーティング施工が成されることが好ましい。一方、図３（ｄ）に示すように、ヘアボリューム調整クリップ１の連結形態を鑑み、クリップ閉塞状態において、その後端が、本体部１０の胴体部１０ａから突出しない構成や、図示はしていないが、ヘアボリューム調整クリップ１の連結される前端部と後端部とに、連結を案内する凹凸やインロー構造、あるいは、溝構造を設け、連結部材５０によるヘアボリューム調整クリップ１の連結状態をより確実に維持可能に構成されることがより好ましい。
【００５４】
次に、図８は、第２実施形態に係るヘアボリューム調整クリップを連結部材により２個連結するイメージ図である。
【００５５】
図８に示す２つのヘアボリューム調整クリップ２は、図では分かり難いが、クリップ閉塞状態である。先に説明したように、ヘアボリューム調整クリップ２は常時クリップ閉塞状態が維持されるため、ヘアボリュームを調節するためには、押込ロッド１０ｅを押し込むことにより、本体収納部２０の櫛刃収納部２０ｄとの間に、頭髪を通すための隙間Ｃを形成する必要がある。
【００５６】
そのため、クリップ閉塞状態の２つのヘアボリューム調整クリップ２を長手方向に連結させる連結部材６０は、連結本体部６１と、連結本体部６１に対して長手方向にその一端が案内・収納されるスライド部６２とで構成される。スライド部６２の上面には、スライド支持部６２ａが形成され、押し込み支持部６２ａに対向する連結本体部６１の上面に連結本体支持部６１ａが形成されている。
【００５７】
連結部材５０によりヘアボリューム調整クリップ１を連結させる場合と異なり、まず先に、連結部材６０により、クリップ閉塞状態のヘアボリューム調整クリップ２を長手方向に連結させる。ヘアボリューム調整クリップ１と同様に、ヘアボリューム調整クリップ２においても、連結される前端部と後端部とに、連結を案内する凹凸やインロー構造、あるいは、溝構造を設け、連結部材５０によるヘアボリューム調整クリップ１の連結状態をより確実に維持可能に構成されることがより好ましいことは言うまでもない。
【００５８】
この時、図８に示すように、スライド部６２の一端は、連結本体部６１の同じ側の端部より長手方向に突出しており、この連結本体部６１に対するスライド部６２の突出部に、連結させた２つのヘアボリューム調整クリップ２の、前方のヘアボリューム調整クリップ２の押込ロッド１０ｅが配置されるよう、連結本体部６１に開口部６１ｂが形成されている。このように構成される連結部材６０は、連結本体部６１の連結本体支部部６１ａと、スライド部６２のスライド支持部６２ａとを、指等で支持させて、スライド部６２を連結本体部６１の図８中の矢印で示す長手方向に押し込むことにより、前方のヘアボリューム調整クリップ２の押込ロッド１０ｅを押し込んで、クリップ閉塞状態で連結させた２つのヘアボリューム調整クリップ２をクリップ開放状態へ移行させることができる。
【００５９】
そのため、所望するヘアボリュームの調整範囲において、連結部材６０で連結させた２つのヘアボリューム調整クリップ２をクリップ開放状態へ移行させ、これら２つのヘアボリューム調整クリップ２によって頭髪を挟み込ませる。その後、スライド部６２の連結本体部６１への押し込む状態を解除（指を離す）することにより、引張バネ４０の弾性力で２つのヘアボリューム調整クリップ２が再びクリップ閉塞状態へと移行する。
【００６０】
図７及び図８に示すように、連結部材により、本発明に係るヘアボリューム調整クリップを長手方向に複数個連結することにより、ヘアボリューム調整クリップを連結した部位の頭髪の範囲を、所望するヘアボリュームの調整範囲とすることができる。このような、連結部材は、部分的にヘアボリュームを調整するために、その長手方向の長さを抑制したヘアボリューム調整クリップであっても、さらに広い範囲のヘアボリュームの調整を容易にするものである。
【００６１】
ヘアボリューム調整クリップを長手方向に長くすることによっても対応は可能である。しかしながら、ヘアボリュームを調整する範囲は男女や個人によって好みが様々である。そのため、これに対応して、様々な長さのヘアボリューム調整クリップを準備することは難しい。また、ヘアボリュームを調整範囲は、頭髪のサイド部分等、部分的であることの方が一般的である。これらを鑑みると、部分的なヘアボリュームの調整用に長手方向の長さを抑制したヘアボリューム調整クリップを、このような連結部材で任意に連結させる方法の方が、頭髪のヘアボリュームを調整する様々な範囲への対応が容易である。尚、図７及び図８では、それぞれ２個のヘアボリューム調整クリップを連結させる連結部材について説明したが、これに限定されることなく、３個以上のヘアボリューム調整クリップを連結させる連結部材であっても良い。
【符号の説明】
【００６２】
１、２  ヘアボリューム調整クリップ、１０  本体部、１０ａ  胴体部、１０ｂ  櫛刃部、１０ｃ  後退抑制機構、１０ｄ、１０ｄ’  弾性体支持部、２０  本体収納部、２０ａ  胴体案内部、２０ｂ  櫛刃収納部、２０ｄ、２０ｄ’  弾性体支持部、３０  圧縮バネ（弾性体）、４０  引張バネ（弾性体）、５０、６０  連結部材、６１  連結本体部、６１ａ  連結本体支持部、６１ｂ  開口部、６２  スライド部、６２ａ  スライド支持部、Ｃ  隙間、Ｃ’  隙間、Ｄ  圧縮バネ自然長、Ｄ’  圧縮バネ圧縮長（クリップ閉塞状態）、ｄ’  引張バネ引張長さ（クリップ閉塞状態）、ｄ”  引張バネ引張長さ（クリップ開放状態）、Ｅ  頭髪立ち上げ方向、Y  本体要部
【図１】
2020081361.tif 000003
【図２】
2020081361.tif 000004
【図３】
2020081361.tif 000005
【図４】
2020081361.tif 000006
【図５】
2020081361.tif 000007
【図６】
2020081361.tif 000008
【図７】
2020081361.tif 000009
【図８】
2020081361.tif 000010
【手続補正書】
【提出日】令和1年7月1日(2019.7.1)
【手続補正１】
【補正対象書類名】明細書
【補正対象項目名】００１２
【補正方法】変更
【補正の内容】
【００１２】
本発明の上記目的は、棒状の胴体部と、該胴体部に略直交するように立設される複数の櫛刃部と、から形成される櫛状の本体部と、
前記胴体部を、前記胴体部の長手方向に前進・後退可能に収納する胴体案内部と、該胴体案内部に略直交するように立設され、前記櫛刃部の前方側を前記櫛刃部の立設方向の略全長に亘って収納可能で、後方側が開放された断面形状を有する複数の櫛刃収納部と  から形成される櫛状の本体収納部と、
を有し、
前記本体部の前記胴体部を前記本体収納部の前記胴体案内部に収納した状態において、
前記本体部の前記胴体部を、前記本体収納部の前記胴体案内部に対して後退させて、前記本体部の前記櫛刃部と、前記本体収納部の前記櫛刃収納部との間に、頭髪を通すための隙間が形成されるクリップ開放状態と、
前記本体部の前記胴体部を、前記本体収納部の前記胴体案内部に対して前進させて、前記本体部の前記櫛刃部の前方側の、前記櫛刃部の立設方向の略全長が、前記本体収納部の前記櫛刃収納部に収納されるクリップ閉塞状態と、
を選択可能で、
前記クリップ開放状態が、前記本体部の前記胴体部と、前記本体収納部の前記胴体案内部との間に配置された弾性体により維持され、
前記クリップ閉塞状態が、前記胴体案内部に対する前記胴体部の後退を抑制する後退抑制機構により維持され、
前記クリップ閉塞状態において、少なくとも、前記本体収納部の前記櫛刃収納部に収納される、前記本体部の前記櫛刃部の前方側の断面形状が略円弧形状であって、
前記クリップ開放状態において前記隙間に通した頭髪を、前記クリップ閉塞状態において、前記櫛刃部と前記櫛刃収納部との間に挟み込む
ことを特徴とするヘアボリューム調整クリップによって達成される。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
また、本発明に係るヘアボリューム調整クリップにおいては、前記クリップ閉塞状態が、前記本体部の前記胴体部と、前記本体収納部の前記胴体案内部との間に配置された弾性体の弾性力により維持されても良い。
【手続補正４】
【補正対象書類名】特許請求の範囲
【補正対象項目名】全文
【補正方法】変更
【補正の内容】
【特許請求の範囲】
【請求項１】
棒状の胴体部と、該胴体部に略直交するように立設される複数の櫛刃部と、から形成される櫛状の本体部と、
前記胴体部を、前記胴体部の長手方向に前進・後退可能に収納する胴体案内部と、該胴体案内部に略直交するように立設され、前記櫛刃部の前方側を前記櫛刃部の立設方向の略全長に亘って収納可能で、後方側が開放された断面形状を有する複数の櫛刃収納部と  から形成される櫛状の本体収納部と、
を有し、
前記本体部の前記胴体部を前記本体収納部の前記胴体案内部に収納した状態において、
前記本体部の前記胴体部を、前記本体収納部の前記胴体案内部に対して後退させて、前記本体部の前記櫛刃部と、前記本体収納部の前記櫛刃収納部との間に、頭髪を通すための隙間が形成されるクリップ開放状態と、
前記本体部の前記胴体部を、前記本体収納部の前記胴体案内部に対して前進させて、前記本体部の前記櫛刃部の前方側の、前記櫛刃部の立設方向の略全長が、前記本体収納部の前記櫛刃収納部に収納されるクリップ閉塞状態と、
を選択可能で、
前記クリップ開放状態が、前記本体部の前記胴体部と、前記本体収納部の前記胴体案内部との間に配置された弾性体により維持され、
前記クリップ閉塞状態が、前記胴体案内部に対する前記胴体部の後退を抑制する後退抑制機構により維持され、
前記クリップ閉塞状態において、少なくとも、前記本体収納部の前記櫛刃収納部に収納される、前記本体部の前記櫛刃部の前方側の断面形状が略円弧形状であって、
前記クリップ開放状態において前記隙間に通した頭髪を、前記クリップ閉塞状態において、前記櫛刃部と前記櫛刃収納部との間に挟み込む
ことを特徴とするヘアボリューム調整クリップ。
【請求項２】
棒状の胴体部と、該胴体部に略直交するように立設される複数の櫛刃部と、から形成される櫛状の本体部と、
前記胴体部を、前記胴体部の長手方向に前進・後退可能に収納する胴体案内部と、該胴体案内部に略直交するように立設され、前記櫛刃部の前方側を前記櫛刃部の立設方向の略全長に亘って収納可能で、後方側が開放された断面形状を有する複数の櫛刃収納部と  から形成される櫛状の本体収納部と、
を有し、
前記本体部の前記胴体部を前記本体収納部の前記胴体案内部に収納した状態において、
前記本体部の前記胴体部を、前記本体収納部の前記胴体案内部に対して後退させて、前記本体部の前記櫛刃部と、前記本体収納部の前記櫛刃収納部との間に、頭髪を通すための隙間が形成されるクリップ開放状態と、
前記本体部の前記胴体部を、前記本体収納部の前記胴体案内部に対して前進させて、前記本体部の前記櫛刃部の前方側の、前記櫛刃部の立設方向の略全長が、前記本体収納部の前記櫛刃収納部に収納されるクリップ閉塞状態と、
を選択可能で、
前記クリップ閉塞状態が、前記本体部の前記胴体部と、前記本体収納部の前記胴体案内部との間に配置された弾性体の弾性力により維持され、
前記クリップ閉塞状態において、少なくとも、前記本体収納部の前記櫛刃収納部に収納される、前記本体部の前記櫛刃部の前方側の断面形状が略円弧形状であって、
前記クリップ開放状態において前記隙間に通した頭髪を、前記クリップ閉塞状態において、前記櫛刃部と前記櫛刃収納部との間に挟み込む
ことを特徴とするヘアボリューム調整クリップ。
【請求項３】
前記ヘアボリューム調整クリップを、前記本体部の前記胴体部の長手方向に複数個連結した状態で保持可能な連結部材により連結可能な、
請求項１又は請求項２に記載のヘアボリューム調整クリップ。
【請求項４】
請求項１乃至請求項３のいずれか１項に記載のヘアボリューム調整クリップにより、頭髪のボリュームを調整するヘアボリューム調整方法であって、
前記ヘアボリューム調整クリップにおいて、前記本体部の前記櫛刃部の前方側の略円弧形状の半径を変更することにより、前記ヘアボリューム調整クリップを使用した部位の頭髪の曲げ半径を、所望するヘアボリュームに準じた曲げ半径とする
ことを特徴とするヘアボリューム調整方法。
【請求項５】
請求項３に記載のヘアボリューム調整クリップにより、頭髪のボリュームを調整するヘアボリューム調整方法であって、
前記連結部材により、前記前記本体部の前記胴体部の長手方向に複数個連結することにより、前記ヘアボリューム調整クリップを連結した部位の頭髪の範囲を、所望するヘアボリュームの調整範囲とする
ことを特徴とするヘアボリューム調整方法。